(57)【要約】【課題】釣糸を切断することなく容易且つ迅速に交換することができる釣用ウキの提供。【解決手段】この釣用ウキ１４は、ウキ本体２０と、嵌合軸２１と、固定ナット１９とを備える。釣糸は嵌合軸２１の釣糸挿通孔２３に挿通される。嵌合軸２１は、ウキ本体２０の貫通孔２２に上方から挿脱される。嵌合軸２１の下端部２７に雄ねじ２８が形成されている。固定ナット１９が下方から嵌合軸１２１にねじ込まれる。固定ナット１９は、ウキ本体の浮力を調整し、釣用ウキ１４の残存浮力及び重心を決定する。重量が異なる複数の固定ナット１１９が備えられており、固定ナット１９が交換されることにより釣用ウキ１４の残存浮力が調整される。【選択図】図２
2008187925.tif 000002
【特許請求の範囲】
【請求項１】
外周面、中心を貫くように軸方向に沿って形成された貫通孔及び上記軸方向に延びると共に上記外周面から径方向に沿って上記貫通孔に連通するように切り込まれたスリットを有するウキ本体と、
中心を貫くように軸方向に沿って形成された釣糸挿通孔を有し、上記ウキ本体の貫通孔に上方から挿脱される筒状嵌合軸と、
外側面、中心を貫くように軸方向に沿って形成された軸孔及び上記軸方向に延びると共に上記外側面から径方向に沿って上記軸孔に連通するように切り込まれたスリットを有し、上記貫通孔に挿入された上記筒状嵌合軸の下端部に着脱自在に係合して当該筒状嵌合軸がウキ本体から脱落することを防止する環状固定部材とを備え、
当該環状固定部材は、上記ウキ本体の浮力を設定する錘を兼ねている釣用ウキ。
【請求項２】
上記筒状嵌合軸の下端部に雄ねじが形成されており、
上記環状固定部材は、上記雄ねじと螺合して上記ウキ本体に圧着されるナットからなる請求項１に記載の釣用ウキ。
【請求項３】
上記環状固定部材が上記筒状嵌合軸に係合した際に、当該環状固定部材が安定的に当接される平面を備えた載置部が上記ウキ本体の下部に設けられている請求項１又は２に記載の釣用ウキ。
【請求項４】
上記筒状嵌合軸に係合部が設けられ、
上記ウキ本体に上記係合部と係合する被係合部が設けられており、
当該係合部及び被係合部は、上記ウキ本体に対する上記筒状嵌合軸の軸方向を中心とする回転を規制する回転規制手段を構成している請求項１から３のいずれかに記載の釣用ウキ。
【請求項５】
重量が異なる複数の環状固定部材を備えている請求項１から４のいずれかに記載の釣用ウキ。
【発明の詳細な説明】
【技術分野】
【０００１】
本発明は、釣りに用いられるウキの構造に関するものである。
【背景技術】
【０００２】
釣りのジャンルに「ウキ釣り」というものがある。図２２は、一般的なウキ釣りの仕掛けを示す模式図である。ウキ釣りでは、中通しタイプのウキが使用されることが多い（例えば、特許文献１〜特許文献６参照）。
【０００３】
中通しタイプのウキ１は、一般に略紡錘形に形成されている。ウキ１の中心軸に沿ってライン挿通孔が設けられている。釣竿２に沿って案内されたライン３は、ウキ１のライン挿通孔に挿通される。ライン３の先端にハリス５が連結される。ライン３とハリス５とは直接に結びつけられる場合もあるが、同図では、両者間に「サルカン」と称される連結具４が介在されている。ハリス５の先端に針６が結び付けられている。ライン３の所定位置には、ウキ止具７が取り付けられている。針６、ハリス５及びライン３等は、その自重によって水中に潜行していく。ウキ止具７は、相対的にウキ１に接近する。ウキ止具７がウキ１に当接するとライン３に対するウキ１の相対的移動が規制され、水中における針６の位置（俗に「タナ」と称される。）が設定される。
【０００４】
ところで、実釣においては、釣り場の状況（風、波、潮流等）に応じてウキの重量（すなわち水中での残存浮力）や外形形状の大きさが変更される場合がある。つまり、ウキ１が他の種類のウキ（大きさや浮力が異なるウキ）に交換される場合がある。しかし、ウキ１は中通しタイプであるから、釣人は、この種のウキ１を交換しようとした場合には、一旦ライン３を切断しなければならず、しかも、交換されたウキに再びライン３を挿通しなければならない。したがって、釣人にとって、ウキの交換作業が繁雑であるという問題があった。この問題は、予め定められた時間内で釣果を競う競技会等においては特に重大であった。従来から、この問題を解決するため、ラインが切断されることなく当該ラインに着脱自在なウキが提案されている（特許文献７〜特許文献１１参照）。
【０００５】
【特許文献１】特開２００１−３０９７３９号公報
【特許文献２】特開２０００−２８７５９３号公報
【特許文献３】特開２０００−１２５７２９号公報
【特許文献４】特開２０００−６０３８３号公報
【特許文献５】特開平１１−１８６４７号公報
【特許文献６】特開２００５−１５１９７８号公報
【特許文献７】特開平１１−５６１８６号公報
【特許文献８】特開平９−９８３６号公報
【特許文献９】実開平６−５５３７０号公報
【特許文献１０】特開平７−２５５３４０号公報
【特許文献１１】特開２００２−２２３６８２号公報
【発明の開示】
【発明が解決しようとする課題】
【０００６】
ラインが切断されることなく交換可能なウキは、一般に、ウキ本体と、これに嵌め合わされる嵌合軸とを備えている。嵌合軸は中空パイプからなり、これに釣糸が挿通される。一方、ウキ本体は、軸方向に貫通形成された嵌合孔を有し、この嵌合孔に上記嵌合軸が嵌め込まれるようになっている。また、ウキ本体は、軸方向に伸びるスリットを備えており、このスリットは、ウキ本体の径方向（軸方向と直交する方向）に切り込まれ、上記嵌合孔に連通している（特許文献７及び特許文献８〜１１参照）。
【０００７】
しかしながら、従来のウキは、実釣においてウキ本体の着脱作業が容易であるとは言えなかった。具体的には、上記特許文献７に開示されたウキでは、釣人は、心棒(1) の鍔（12）を指の先端で挟みつつウキ本体(2) を回転させることにより、ウキ本体(2) と心棒(1) との螺合を解除しなければならないところ、上記鍔(12)が非常に小さいため、釣人は爪を立てて鍔(12)を摘む必要があり、そのため、ウキ本体(2) を心棒(1) に着脱する作業が非常に困難である。また、上記特許文献８〜特許文献１１に開示されたウキでは、嵌合軸がウキ本体にほぼ完全に埋設されるので、釣人にとって嵌合軸の着脱操作がきわめて困難である。しかも、これら嵌合軸にもスリットが設けられているので、釣糸が嵌合軸とウキ本体との間に食い込んでしまい、損傷を受けるおそれもあった。
【０００８】
そこで、本発明の目的は、釣糸を切断することなく容易且つ迅速に交換することができる中通しタイプの釣用ウキを提供することである。
【課題を解決するための手段】
【０００９】
(1) 上記目的が達成されるため、本発明に係る釣用ウキは、外周面、中心を貫くように軸方向に沿って形成された貫通孔及び上記軸方向に延びると共に上記外周面から径方向に沿って上記貫通孔に連通するように切り込まれたスリットを有するウキ本体と、中心を貫くように軸方向に沿って形成された釣糸挿通孔を有し、上記ウキ本体の貫通孔に上方から挿脱される筒状嵌合軸と、外側面、中心を貫くように軸方向に沿って形成された軸孔及び上記軸方向に延びると共に上記外側面から径方向に沿って上記軸孔に連通するように切り込まれたスリットを有し、上記貫通孔に挿入された上記筒状嵌合軸の下端部に着脱自在に係合して当該筒状嵌合軸がウキ本体から脱落することを防止する環状固定部材とを備え、当該環状固定部材は、上記ウキ本体の浮力を設定する錘を兼ねている。
【００１０】
釣人は、釣糸を筒状嵌合軸の釣糸挿通孔に挿通する。筒状嵌合軸は、常時釣糸と係合し、当該釣糸に沿ってスライド自在となる。この状態で、筒状嵌合軸よりも下方に位置する釣糸がウキ本体の外周面からスリット内に挿通される。このスリットは、ウキ本体の貫通孔まで達しているから、この釣糸は、上記スリットを通って上記貫通孔内に配置される。釣人は、上記筒状嵌合軸を上記ウキ本体の上方から上記貫通孔に挿入する。これにより、この筒状嵌合軸が上記貫通孔に嵌め合わせられ、その結果、上記釣糸は、当該筒状嵌合軸に囲繞された状態でウキ本体の貫通孔内に配置される。
【００１１】
そして、釣人は、環状固定部材を上記筒状嵌合軸に係合させる。具体的には、釣人は、上記筒状嵌合軸よりも下方に位置する釣糸を上記環状固定部材の外側面からスリット内に挿通させる。このスリットは、環状固定部材の軸孔まで達しているから、この釣糸は、上記スリットを通って上記軸孔内に配置される。釣人は、上記環状固定部材を上記筒状嵌合軸の下端部に係合させる。これにより、ウキ本体に挿入された筒状嵌合軸は、当該ウキ本体から脱落することが防止される。すなわち、上記筒状嵌合軸は、上記貫通孔内に位置決めされ、上記ウキ本体から外れなくなる。このウキ本体に位置決めされた上記筒状嵌合軸に上記釣糸が挿通されているから、上記ウキ本体は、上記筒状嵌合軸と共に当該釣糸に装着され且つ当該釣糸に沿って自由にスライドすることができる。
【００１２】
上記環状固定部材が錘を兼ねているから、当該環状固定部材が装着されることにより、ウキ本体の浮力も決定される。しかも、この環状固定部材は、筒状嵌合軸の下端部に装着されることから、ウキ本体の下方に配置されることになる。したがって、ウキ本体の重心が低い位置に設定され、釣用ウキが水中で安定しやすくなる。
【００１３】
また、釣人は、上記環状固定部材を上記筒状嵌合軸から取り外し、且つ上記釣糸から離脱させることができる。さらに、釣人は、上記筒状嵌合軸を上記ウキ本体から抜き取り、且つウキ本体を上記釣糸から離脱させることができる。すなわち、釣糸が切断されることなくウキ本体が当該釣糸から取り外される。
【００１４】
(2) 上記筒状嵌合軸の下端部に雄ねじが形成されており、上記環状固定部材は、上記雄ねじと螺合して上記ウキ本体に圧着されるナットから構成されているのが好ましい。
【００１５】
この構成では、釣人は、ナットを筒状嵌合軸の下端部にねじ込むだけで簡単に当該ナットを筒状嵌合軸に係合させることができる。すなわち、筒状嵌合軸に環状固定部材を取り付け又は取り外す作業が簡単である。したがって、釣人は、筒状嵌合軸をウキ本体に着脱作業する作業を簡単に行うことができ、ひいては、ウキ本体の取替作業を迅速に行うことができる。
【００１６】
(3) 上記環状固定部材が上記筒状嵌合軸に係合した際に、当該環状固定部材が安定的に当接される平面を備えた載置部が上記ウキ本体の下部に設けられているのが好ましい。
【００１７】
上記載置部が設けられることにより、上記環状固定部材が上記筒状嵌合軸と係合する際に及び係合した後に当該環状固定部材が安定する。したがって、釣人は、上記環状固定部材を上記筒状嵌合軸に係合させる作業をより簡単に行うことができる。
【００１８】
(4) 上記筒状嵌合軸に係合部が設けられると共に上記ウキ本体に上記係合部と係合する被係合部が設けられており、当該係合部及び被係合部は、上記ウキ本体に対する上記筒状嵌合軸の軸方向を中心とする回転を規制する回転規制手段を構成しているのが好ましい。
【００１９】
この構成では、上記筒状嵌合軸が上記ウキ本体に挿入されると、上記係合部と上記被係合部とが係合し、当該筒状嵌合軸が当該ウキ本体に対して回転することが規制される。したがって、上記環状固定部材を上記筒状嵌合軸の下端部に係合させる作業が一層容易になる。特に、筒状嵌合軸に環状固定部材がねじ込まれる場合は、管状固定部材と共に筒用嵌合軸が回転することが防止され、釣人にとって筒状嵌合軸をウキ本体に装着する作業がきわめて簡単になる。
【００２０】
(5) 重量が異なる複数の環状固定部材が備えられているのが好ましい。
【００２１】
この構成では、筒状嵌合軸に取り付けられている一の環状固定部材が他の環状固定部材に交換される得る。これにより、釣用ウキ全体の重量が変化するので、釣人は、意図的に釣用ウキの残存浮力を調整することができる。これにより、釣用ウキの水中での安定性がより一層向上する。
【００２２】
(6) 上記目的が達成されるための釣用ウキは、次のような構造を備えていてもよい。すなわち、外周面、中心を貫くように軸方向に沿って形成された貫通孔及び上記軸方向に延びると共に上記外周面から径方向に沿って上記貫通孔に連通するように切り込まれたスリットを有するウキ本体と、中心を貫くように軸方向に沿って形成された釣糸挿通孔を有し、上記ウキ本体の貫通孔に下方から挿脱される筒状嵌合軸と、外側面、中心を貫くように軸方向に沿って形成された軸孔及び上記軸方向に延びると共に上記外側面から径方向に沿って上記軸孔に連通するように切り込まれたスリットを有し、上記貫通孔に挿入された上記筒状嵌合軸の上端部に着脱自在に係合して当該筒状嵌合軸がウキ本体から脱落することを防止する環状固定部材とを備えていてもよい。
【００２３】
釣人は、釣糸を筒状嵌合軸の釣糸挿通孔に挿通する。筒状嵌合軸は、常時釣糸と係合し、当該釣糸に沿ってスライド自在となる。この状態で、筒状嵌合軸よりも上方に位置する釣糸がウキ本体の外周面からスリット内に挿通される。このスリットは、ウキ本体の貫通孔まで達しているから、この釣糸は、上記スリットを通って上記貫通孔内に配置される。釣人は、上記筒状嵌合軸を上記ウキ本体の下方から上記貫通孔に挿入する。これにより、この筒状嵌合軸が上記貫通孔に嵌め合わせられ、その結果、上記釣糸は、当該筒状嵌合軸に囲繞された状態でウキ本体の貫通孔内に配置される。
【００２４】
そして、釣人は、環状固定部材を上記筒状嵌合軸に係合させる。具体的には、釣人は、上記筒状嵌合軸よりも上方に位置する釣糸を上記環状固定部材の外側面からスリット内に挿通させる。このスリットは、環状固定部材の軸孔まで達しているから、この釣糸は、上記スリットを通って上記軸孔内に配置される。釣人は、上記環状固定部材を上記筒状嵌合軸の上端部に係合させる。これにより、ウキ本体に挿入された筒状嵌合軸は、当該ウキ本体から脱落することが防止される。すなわち、上記筒状嵌合軸は、上記貫通孔内に位置決めされ、上記ウキ本体から外れなくなる。このウキ本体に位置決めされた上記筒状嵌合軸に上記釣糸が挿通されているから、上記ウキ本体は、上記筒状嵌合軸と共に当該釣糸に装着され且つ当該釣糸に沿って自由にスライドすることができる。
【００２５】
また、釣人は、上記環状固定部材を上記筒状嵌合軸から取り外し、且つ上記釣糸から離脱させることができる。さらに、釣人は、上記筒状嵌合軸を上記ウキ本体から抜き取り、且つウキ本体を上記釣糸から離脱させることができる。すなわち、釣糸が切断されることなくウキ本体が当該釣糸から取り外される。
【００２６】
(7) 上記筒状嵌合軸の上端部に雄ねじが形成されており、上記環状固定部材は、上記雄ねじと螺合するナットから構成されているのが好ましい。
【００２７】
この構成では、釣人は、ナットを筒状嵌合軸の上端部にねじ込むだけで簡単にナットを筒状嵌合軸に係合させることができ、また、取外作業も簡単である。したがって、釣人は、筒状嵌合軸をウキ本体に着脱作業する作業を簡単に行うことができ、ひいては、ウキ本体の取替作業を迅速に行うことができる。
【００２８】
(8) 上記環状固定部材が上記筒状嵌合軸に係合した際に、当該環状固定部材が載置される平面を備えた載置部が上記ウキ本体の上部に設けられているのが好ましい。
【００２９】
上記載置部が設けられていることにより、上記環状固定部材が上記筒状嵌合軸と係合する際に及び係合した後に当該環状固定部材が安定する。したがって、釣人は、上記環状固定部材を上記筒状嵌合軸に係合させる作業をより簡単に行うことができる。
【００３０】
(9) 上記筒状嵌合軸に係合部が設けられ、上記ウキ本体に上記係合部と係合する被係合部が設けられていてもよい。この場合、当該係合部及び被係合部は、上記ウキ本体に対する上記筒状嵌合軸の軸方向を中心とする回転を規制する回転規制手段を構成するものである。
【００３１】
この構成では、上記筒状嵌合軸が上記ウキ本体に挿入されると、上記係合部と上記被係合部とが係合し、当該筒状嵌合軸が当該ウキ本体に対して回転することが規制される。したがって、上記環状固定部材を上記筒状嵌合軸の上端部に係合させる作業が容易になる。特に、筒状嵌合軸に環状固定部材がねじ込まれる場合は、管状固定部材と共に筒用嵌合軸が回転することが防止され、釣人にとって筒状嵌合軸をウキ本体に装着する作業が一層簡単になる。
【００３２】
(10)上記ウキ本体の下端部に錘が設けられ、重量が異なる複数の環状固定部材が備えられているのが好ましい。
【００３３】
この構成では、筒状嵌合軸に取り付けられている一の環状固定部材が他の環状固定部材に交換される得る。これにより、釣用ウキ全体の重量が変化するので、釣人は、意図的に釣用ウキの残存浮力を調整することができる。しかも、環状固定部材は、筒状嵌合軸の上端部に取り付けられるから、釣用ウキの重心の位置が中心に近づけられる。したがって、特に釣用ウキの残存浮力がほとんどゼロに設定される場合に、釣用ウキの重心を当該釣用ウキの中心に設定することも可能である。これにより、釣用ウキの水中での安定性が向上する。
【発明の効果】
【００３４】
本発明によれば、釣糸が挿通された筒状嵌合軸がウキ本体に嵌め込まれることにより釣用ウキが当該釣糸に装着され、また、上記筒状嵌合軸が上記ウキ本体から引き抜かれることによりウキ本体が当該釣糸から取り外され、他のウキ本体と交換され得る。すなわち、釣糸が切断されることなく釣用ウキが他の種類のウキに交換され得る。しかも、上記筒状嵌合軸は、上記ウキ本体に嵌め込まれた状態で確実にロックされるので、実釣において上記ウキ本体が釣糸から外れることはないし、釣人は、環状固定部材を筒状嵌合軸から外すことにより、簡単に筒状嵌合軸とウキ本体とのロックを解除することができる。したがって、釣人は、きわめて簡単且つ迅速に筒状嵌合軸をウキ本体から取り外すことができ、実釣において釣用ウキの交換を短時間で簡単に行うことができる。加えて、環状固定部材が錘として機能し、釣用ウキを水中で安定させる。したがって、ウキ本体に錘が装着される必要はなく、ウキ本体の構造が簡略化され得る。ひいては、釣用ウキの組立作業が容易となり、コスト安価な釣用ウキが提供され得る。
【発明を実施するための最良の形態】
【００３５】
以下、適宜図面が参照されつつ、好ましい実施形態に基づいて本発明が詳細に説明される。
【００３６】
＜第１の実施形態＞
【００３７】
図１は、本発明の第１の実施形態に係る釣用ウキが用いられた釣用仕掛けの模式図である。
【００３８】
この釣用仕掛け１０は、いわゆるウキフカセ釣りに適用されるものである。この釣用仕掛け１０は、釣竿１１の釣糸ガイド１２に支持されたライン１３と、ライン１３に装着された釣用ウキ１４と、ライン１３の先端にサルカン１５を介して連結されたハリス１６と、ハリス１６に結びつけられた釣針１７とを有する。ライン１３の所定位置に浮止部材１８が設けられており、水面に浮かべられた釣用ウキ１４から釣針１７までの距離が設定されている。
【００３９】
図２は釣用ウキ１４の断面図である。また、図３は、釣用ウキ１４に嵌め込まれる嵌合軸２１の正面図、図４は嵌合軸２１の右側面図、図５は嵌合軸２１の縦断面図である。さらに、図６は、図３におけるVI−VI  断面図、図７は、図３におけるVII−VII 断面図である。
【００４０】
本実施形態に係る釣用ウキ１４は、図２が示すように、ウキ本体２０と、これに挿脱される嵌合軸２１（筒状嵌合軸）と、この嵌合軸２１に係合される固定ナット１９（環状固定部材）とを有する。同図が示すように、嵌合軸２１がウキ本体２０に上方から挿入されることにより、図１が示すように、ウキ本体２０がライン１３に装着される。また、後述されるように、嵌合軸２１がウキ本体２０から抜脱されることによってウキ本体２０がライン１３から取り外されるようになっている。
【００４１】
図２が示すように、嵌合軸２１は、ウキ本体２０に設けられた貫通孔２２に嵌め込まれている。この嵌合軸２１は、矢印６９の方向、すなわち嵌合軸２１の軸方向に沿ってウキ本体２０に対して挿脱されるようになっている。図３ないし図５が示すように、嵌合軸２１は、円筒状の部材である。本実施形態では、この嵌合軸２１は、樹脂（典型的にはアクリロニトリルブタジエンスチレン共重合体（ＡＢＳ）、ポリプロピレン（ＰＰ）、ポリオキシメチレン（ＰＯＭ））から構成される。もっとも、嵌合軸２１を構成する材料は、樹脂のほか金属も採用され得る。この嵌合軸２１は、釣糸挿通孔２３を備えている。上記ライン１３（図１参照）は、この釣糸挿通孔２３に挿通されるようになっている。釣糸挿通孔２３の内径寸法は、１．０ｍｍ〜３．０ｍｍの範囲で設定され得る。これにより、さまざまな線径のラインが釣糸挿通孔２３に挿通され得る。この釣糸挿通孔２３は、嵌合軸２１の中心を貫いており、嵌合軸２１の軸方向に沿って形成されている。
【００４２】
嵌合軸２１は、主円筒部２４と、フランジ２５と、係止リブ２６（係合部）とを備えており、本実施形態では、これらが一体的に形成されている。
【００４３】
主円筒部２４は、所定の外径寸法ｄ１（図５参照）に設定されている。この寸法ｄ１は、上記ウキ本体２０に設けられた貫通孔２２の内径寸法ｄ２に対応されており（図９及び図１０参照）、両者間に所定のはめあい公差が設定されている。本実施形態では、上記貫通孔２２の内径寸法ｄ２は５．０ｍｍに設定され、一方、主円筒部２４の外径寸法ｄ１は、５．０ｍｍに設定されている。すなわち、主円筒部２４は、ウキ本体２０の貫通孔２２に押し込まれ、主円筒部２４とウキ本体２０との間に一定の摩擦力が発生するようになっている。したがって、常時において嵌合軸２１は、一定の保持力でウキ本体２０に保持される。釣人が意図的に嵌合軸２１をウキ本体２０に対して挿入し、あるいは抜き取るときは、釣人は、上記摩擦力を超える力で嵌合軸２１を操作することにより、嵌合軸２１を挿脱することができる。もっとも、上記はめあい公差は、いわゆるスキマバメ公差であってもよい。
【００４４】
図３ないし図５及び図６が示すように、主円筒部２４の下端部２７に雄ねじ２８が形成されている。この下端部２７に、後に詳述される固定ナット１９が螺合するようになっている。また、上記フランジ２５は、主円筒部２４の上端に設けられている。図１及び図２が示すように、上記フランジ２５は、嵌合軸２１がウキ本体２０に挿入された状態でウキ本体２０の上面に当接する。このフランジ２５は円盤状に形成されており、後述されるが、ウキ本体２０の上端面３９に設けられた円形の凹部４２（図９及び図１０参照）に嵌め込まれる。このため、上記フランジ２５は、ウキ本体２０の上面を形成することになる。なお、このフランジ２５の外形形状は、特に円盤形に限定されるものではなく、例えば、釣人が親指と人差し指で容易に摘むことができるような形状であってもよい。その場合、上記フランジ２５がウキ本体２０から突出していてもよい。
【００４５】
図３、図４及び図７が示すように、係止リブ２６は、主円筒部２４に突設されている。係止リブ２６は、断面形状が矩形である細長棒状部材である。係止リブ２６は、主円筒部２４とフランジ２５との境界部分に配置されており、主円筒部２４の外周面に設けられている。具体的には、係止リブ２６は、主円筒部２４の軸方向（図３及び図４において下方）に延び、当該主円筒部２４の径方向に突出している。係止リブ２６の肉厚は、所定の肉厚寸法ｔ（図４及び図７参照）に設定されている。本実施形態では、この肉厚寸法ｔは、１．２ｍｍ〜１．８ｍｍの範囲で設定され得る。また、係止リブ２６の高さ寸法ｈ（図３及び図７参照）は、１．２ｍｍ〜１．８ｍｍに設定されている。この係止リブ２６の作用効果については後述される。
【００４６】
図８は、ウキ本体２０の平面図である。図９は、図８におけるIX−IX断面図、図１０は、図８におけるX−X  断面図である。
【００４７】
図８ないし図１０が示すように、ウキ本体２０は、略紡錘形に形成されている。ただし、ウキ本体２０の下端は、軸方向に直交する仮想平面で切断されたような平面３８に形成されている。この平面３８は、上記固定ナット１９が載置される載置部２９を構成している。ウキ本体２０を構成する材料は、木材のほか樹脂（典型的にはアクリロニトリルブタジエンスチレン共重合体（ＡＢＳ）、ポリプロピレン（ＰＰ）、ポリオキシメチレン（ＰＯＭ））が採用される。
【００４８】
ウキ本体２０は、上記貫通孔２２を備えている。この貫通孔２２は、ウキ本体２０の中心を貫いている。すなわち、貫通孔２２は、ウキ本体２０の上端面３９から上記平面３８に通ずるようにウキ本体２０の軸方向に延びている。また、上記上端面３９に上記凹部４２が設けられている。この凹部４２は、貫通孔２２を中心とする円形に形成されており、嵌合軸２１のフランジ２５が嵌め合わされるようになっている。前述のように（図２参照）、フランジ２５が凹部４２に収容され、フランジ２５の上面がウキ本体２０の上面を構成しているので、実釣において固定ナット１９が風を受けることにより、釣用ウキ１４が不安定に揺動することが抑制される。
【００４９】
ウキ本体２０は、スリット３２を備えている（図８及び図９参照）。このスリット３２は、ウキ本体２０の軸方向（図９において上下方向）に延び、ウキ本体２０の上端面３９から上記平面３８に達している。また、このスリット３２は、ウキ本体２０の外周面４７から径方向に切り込まれており、上記貫通孔２２に連通している。このスリット３２の幅寸法ｄ３（図８参照）は、１．２ｍｍ〜１．８ｍｍの範囲に設定される。すなわち、このスリット３２の幅寸法ｄ３は、上記嵌合軸２１に設けられた係止リブ２６の肉厚寸法ｔ（図４及び図７参照）に対応されている。
【００５０】
嵌合軸２１の主円筒部２４が上記貫通孔２２に嵌め込まれたときは、図２が示すように、係止リブ２６は、上記スリット３２に嵌め込まれる。このスリット３２は、係止リブ２６が係合する被係合部を構成しており、上記係止リブ２６及び上記スリット３２はキー及びキー溝として機能する。すなわち、嵌合軸２１がウキ本体２０に嵌め込まれると、係止リブ２６もスリット３２と嵌合し、これにより、嵌合軸２１が貫通孔２２内で回転することが規制される。
【００５１】
図１１は、固定ナット１９の正面図である。同図は、固定ナット１９が嵌合軸２１に螺合した状態を示している。図１２は、固定ナット１９の拡大平面図である。図１３は、固定ナット１９の断面図である。
【００５２】
固定ナット１９は、真鍮、ステンレス鋼その他耐腐食性に優れる金属から構成されている。固定ナット１９の外形形状は略円錐形である。固定ナット１９は、軸孔３４を備えており、この軸孔３４は、固定ナット１９の中心を貫くように軸方向（図１１において上下方向）に沿って形成されている。この軸孔３４の内周面に雌ねじ３５が形成されている（図１３参照）。この雌ねじ３５は、上記嵌合軸２１の下端部２７に形成された雄ねじ２８と螺合することができる。
【００５３】
また、固定ナット１９は、スリット３６を備えている。このスリット３６は、固定ナット１９の軸方向（図１１において上下方向、図１２において紙面に垂直な方向）に延びており、固定ナット１９の上端面４８から下端面４９に至る。この上端面４８は平面であり、図１２が示すように円形に形成されている。固定ナット１９が後述のように嵌合軸２１にねじ込まれたときは、上記上端面４８がウキ本体２０の上記平面３８（図９参照）に当接する。図１２が示すように、上記スリット３６は、固定ナット１９の外側面３７から径方向に沿って切り込まれており、上記軸孔３４に連通している。このスリット３６幅寸法ｄ４は、上記ウキ本体２０に設けられたスリット３２の幅寸法ｄ３と同様に、１．２ｍｍ〜１．８ｍｍの範囲に設定される。
【００５４】
本実施形態に係る釣用ウキ１４は、実釣において次のように使用され、釣人は、ウキ本体２０を簡単に交換することができる。
【００５５】
釣用ウキ１４は、次の要領でライン１３に装着される。まず、釣人は、嵌合軸２１（図３参照）を手に取り、ライン１３を嵌合軸２１の釣糸挿通孔２３に挿通する。これにより、嵌合軸２１は、常時ライン１３と係合し、当該ライン１３に沿って自由にスライドすることができる。次に、釣人は、ライン１３のうち嵌合軸２１よりも下方に位置する部分４０をウキ本体２０に挿入する。具体的には、釣人は、当該ライン１３を手に持ち、これをウキ本体２０のスリット３２（図８及び図９参照）を通じてウキ本体２０の外周面４７から貫通孔２２まで挿入する。つまり、ライン１３は、上記スリット３２を通って貫通孔２２内に配置される。
【００５６】
釣人は、上記嵌合軸２１をウキ本体２０の上方から貫通孔２２に挿入する（図２参照）。つまり、嵌合軸２１は、主円筒部２４からウキ本体２０に押し込まれる。このとき、主円筒部２４に設けられた係止リブ２６は、上記スリット３２に嵌り込み、当該スリット３２に沿ってスライドする。これにより、嵌合軸２１が貫通孔２２に嵌め合わせられ、その結果、ライン１３は、嵌合軸２１に囲繞された状態でウキ本体２０の貫通孔２２内に配置される。
【００５７】
そして、釣人は、固定ナット１９を嵌合軸２１に係合させる。具体的には、釣人は、ライン１３のうち嵌合軸２１よりも下方の部分４０（図２参照）を固定ナット１９の外側面３７からスリット３６（図１２参照）内に挿通させる。図１２が示すように、このスリット３６は、固定ナット１９の軸孔３４まで達しているから、ライン１３は、スリット３６を通って軸孔３４内に配置される。釣人は、図２が示すように、固定ナット１９を嵌合軸２１の下端部２７に係合させる。すなわち、固定ナット１９が嵌合軸２１の下端部２７にねじ込まれる。
【００５８】
釣人が固定ナット１９をねじ込むことにより、固定ナット１９がウキ本体２０に圧着される。つまり、固定ナット１９の上端面４８がウキ本体２０の上記平面３８に押圧され密着する。これにより、嵌合軸２１は、ウキ本体２０に挿入された状態で固定され、ウキ本体２０から脱落することが防止される。すなわち、嵌合軸２１は、貫通孔２２内に位置決めされ、ウキ本体２０から外れなくなる。このウキ本体２０に位置決めされた嵌合軸２１にライン１３が挿通されているから、ウキ本体２０は、嵌合軸２１と共にライン１３に装着され且つ当該ライン１３に沿って自由にスライドすることができる。
【００５９】
この固定ナット１９は、真鍮等の金属から構成されていることから、ウキ本体２０に設けられた錘としての機能を果たす。つまり、この固定ナット１９が嵌合軸２１にねじ込まれることにより、ウキ本体２０の浮力が設定される。固定ナット１９の重量が重い場合は、ウキ本体２０の水中での残存浮力が小さくなり、固定ナット１９の重量が軽い場合は、この残存浮力が大きくなる。固定ナット１９の重量は、適宜設定され得る。
【００６０】
また、釣人は、上記固定ナット１９を嵌合軸２１から取り外し、嵌合軸２１をウキ本体２０から抜き取ることができる。これにより、釣人は、ウキ本体２０をライン１３から離脱させることができる。すなわち、ライン１３が切断されることなくウキ本体２０が当該ライン１３から取り外される。
【００６１】
このように、本実施形態に係る釣用ウキ１４によれば、嵌合軸２１がウキ本体２０に嵌め込まれることにより釣用ウキ１４がライン１３に装着され、また、この嵌合軸２１がウキ本体２０から引き抜かれることにより当該ウキ本体２０がライン１３から取り外され、他のウキ本体と交換され得る。つまり、ライン１３が切断されることなく釣用ウキ１４が交換され得る。しかも、嵌合軸２１は、ウキ本体２０に嵌め込まれた状態で確実にウキ本体２０と結合されるので、実釣において嵌合軸２１がウキ本体２０から外れ、ウキ本体２０がライン１３から外れることはない。ただし、釣人は、意図的に固定ナット１９を嵌合軸２１から外すことにより、簡単に嵌合軸２１とウキ本体２０との結合を解除することができる。したがって、釣人は、実釣においてきわめて簡単且つ迅速に嵌合軸２１をウキ本体２０から取り外すことができ、釣用ウキの交換作業を短時間で行うことができる。
【００６２】
加えて、上記固定ナット１９が所定の重量に設定されることにより、固定ナット１９が釣用ウキ１４の浮力を調整する錘の機能を果たす。このため、ウキ本体２０は樹脂等により、また固定ナット１９は金属により、それぞれ均質な部材として簡単に製造され得る。そして、固定ナット１９がウキ本体２０に装着されることによって、釣用ウキ１４の重心が設定される。すなわち、釣用ウキ１４の組立作業、浮力調整作業が簡単であり、その結果、釣用ウキ１４がコスト安価に製造され得るという利点がある。
【００６３】
また、本実施形態に係る釣用ウキ１４では、釣人は、固定ナット１９を嵌合軸２１にねじ込むだけで簡単に固定ナット１９を嵌合軸２１に係合させることができるから、嵌合軸２１に固定ナット１９を取り付け又は取り外す作業が簡単である。したがって、釣人は、嵌合軸２１をウキ本体２０に着脱作業する作業をきわめて簡単に行うことができ、実釣における釣用ウキ１４の交換作業を迅速に行うことができる。
【００６４】
さらに、本実施形態では、図２が示すように、固定ナット１９が嵌合軸２１にねじ込まれると、固定ナット１９の上端面４８とウキ本体２０の上記平面３８とが面接触し、固定ナット１９が安定してウキ本体２０と当接する。したがって、釣人は、固定ナット１９を嵌合軸２１に係合させる作業を一層簡単に行うことができる。
【００６５】
また、本実施形態では、嵌合軸２１がウキ本体２０に挿入されると、図２が示すように、嵌合軸２１の係止リブ２６とウキ本体２０のスリット３２とが嵌合し、嵌合軸２１がウキ本体２０に対して回転することが規制される。つまり、係止リブ２６及びスリット３２は、ウキ本体２０に対する嵌合軸２１の回転規制手段を構成している。したがって、釣人は、嵌合軸２１をウキ本体２０に挿入した状態で固定ナット１９を回転させるだけで、当該固定ナット１９を嵌合軸２１の下端部２７に簡単にねじ込むことができる。
【００６６】
ところで、本実施形態に係る釣用ウキ１４は、１つの固定ナット１９を備えている。ただし、釣用ウキ１４が複数の固定ナットを備えていてもよい。その場合、各固定ナットの重量は、相互に異なっているのが好ましい。具体的には、例えば固定ナットの高さ寸法ｂ（図２参照）が異なる複数の固定ナットが設けられているのが好ましい。
【００６７】
固定ナット１９が他の固定ナットに交換されることにより、釣人は、釣人は、釣用ウキ１４の残存浮力及び重心を意図的に調整することができる。具体的には、例えば、釣人が釣用ウキ１４の残存浮力を意図的にゼロとしたい場合には、当該固定ナットを重量が重い他の固定ナットに交換すればよいし、逆に残存浮力を大きくしたいと考える場合には、重量が軽い固定ナットに交換すればよい。
【００６８】
＜第２の実施形態＞
【００６９】
図１４は、本発明の第２の実施形態に係る釣用ウキが用いられた釣用仕掛けの模式図である。
【００７０】
この釣用仕掛け１００は、いわゆるウキフカセ釣りに適用されるものである。この釣用仕掛け１００は、釣竿１１１の釣糸ガイド１１２に支持されたライン１１３と、ライン１１３に装着された釣用ウキ１１４と、ライン１１３の先端にサルカン１１５を介して連結されたハリス１１６と、ハリス１１６に結びつけられた釣針１１７とを有する。ライン１１３の所定位置に浮止部材１１８が設けられており、水面に浮かべられた釣用ウキ１１４から釣針１１７までの距離が設定されている。
【００７１】
図１５は釣用ウキ１１４の断面図である。また、図１６は、釣用ウキ１１４に嵌め込まれる嵌合軸１２１の正面図、図１７は嵌合軸１２１の右側面図、図１８は嵌合軸１２１の縦断面図である。さらに、図１９は、図１６におけるXIX−XIX  断面図、図２０は、図１６におけるXX−XX 断面図である。
【００７２】
本実施形態に係る釣用ウキ１１４は、図１５が示すように、ウキ本体１２０と、これに挿脱される嵌合軸１２１（筒状嵌合軸）と、この嵌合軸１２１に係合される固定ナット１１９（環状固定部材）とを有する。同図が示すように、嵌合軸１２１がウキ本体１２０に下方から挿入されることにより、図１４が示すように、ウキ本体１２０がライン１１３に装着される。また、後述されるように、嵌合軸１２１がウキ本体１２０から抜脱されることによってウキ本体１２０がライン１１３から取り外されるようになっている。
【００７３】
図１５が示すように、嵌合軸１２１は、ウキ本体１２０に設けられた貫通孔１２２に嵌め込まれている。この嵌合軸１２１は、矢印６９の方向、すなわち嵌合軸１２１の軸方向に沿ってウキ本体１２０に対して挿脱されるようになっている。図１６ないし図１８が示すように、嵌合軸１２１は、円筒状の部材である。本実施形態では、この嵌合軸１２１は、樹脂（典型的にはアクリロニトリルブタジエンスチレン共重合体（ＡＢＳ）、ポリプロピレン（ＰＰ）、ポリオキシメチレン（ＰＯＭ））から構成される。もっとも、嵌合軸１２１を構成する材料は、樹脂のほか金属も採用され得る。この嵌合軸１２１は、釣糸挿通孔１２３を備えている。上記ライン１１３（図１４参照）は、この釣糸挿通孔１２３に挿通されるようになっている。釣糸挿通孔１２３の内径寸法は、１．０ｍｍ〜３．０ｍｍの範囲で設定され得る。これにより、さまざまな線径のラインが釣糸挿通孔１２３に挿通され得る。この釣糸挿通孔１２３は、嵌合軸１２１の中心を貫いており、嵌合軸１２１の軸方向に沿って形成されている。
【００７４】
嵌合軸１２１は、主円筒部１２４と、フランジ１２５と、係止リブ１２６（係合部）とを備えており、本実施形態では、これらが一体的に形成されている。
【００７５】
主円筒部１２４は、所定の外径寸法ｄ１（図１８参照）に設定されている。この寸法ｄ１は、上記ウキ本体１２０に設けられた貫通孔１２２の内径寸法ｄ２に対応されており（図２２及び図２３参照）、両者間に所定のはめあい公差が設定されている。本実施形態では、上記貫通孔１２２の内径寸法ｄ２は５．０ｍｍに設定され、一方、主円筒部１２４の外径寸法ｄ１は、５．０ｍｍに設定されている。すなわち、主円筒部１２４は、ウキ本体１２０の貫通孔１２２に押し込まれ、主円筒部１２４とウキ本体１２０との間に一定の摩擦力が発生するようになっている。したがって、常時において嵌合軸１２１は、一定の保持力でウキ本体１２０に保持される。釣人が意図的に嵌合軸１２１をウキ本体１２０に対して挿入し、あるいは抜き取るときは、釣人は、上記摩擦力を超える力で嵌合軸１２１を操作することにより、嵌合軸１２１を挿脱することができる。もっとも、上記はめあい公差は、いわゆるスキマバメ公差であってもよい。
【００７６】
図１６ないし図１８が示すように、主円筒部１２４の上端部１２７に雄ねじ１２８が形成されている。後に詳述される固定ナット１１９がこの上端部１２７に螺合するようになっている。また、上記フランジ１２５は、主円筒部１２４の下端に設けられている。図１４及び図１５が示すように、上記フランジ１２５は、嵌合軸１２１がウキ本体１２０に挿入された状態でウキ本体１２０から突出する。すなわち、上記主円筒部１２４が上記貫通孔１２２に嵌め込まれた状態で、フランジ１２５は、ウキ本体１２０の下端面１３９（図１５参照）から下方に突出する。このフランジ１２５は円盤状に形成されており、ウキ本体１２０の下端面１３９と面接触する。なお、このフランジ１２５の外形形状は、特に円盤形に限定されるものではなく、例えば、釣人が親指と人差し指で容易に摘むことができるような形状であってもよい。
【００７７】
図１６ないし図１８及び図２０が示すように、係止リブ１２６は、主円筒部１２４に突設されている。係止リブ１２６は、断面形状が矩形である細長棒状部材である。係止リブ１２６は、主円筒部１２４とフランジ１２５との境界部分に配置されており、主円筒部１２４の外周面に設けられている。具体的には、係止リブ１２６は、主円筒部１２４の軸方向（図１６及び図１７において上方）に延び、当該主円筒部１２４の径方向に突出している。係止リブ１２６の肉厚は、所定の肉厚寸法ｔ（図１７及び図２０参照）に設定されている。本実施形態では、この肉厚寸法ｔは、１．２ｍｍ〜１．８ｍｍの範囲で設定され得る。また、係止リブ１２６の高さ寸法ｈ（図１６及び図２０参照）は、１．２ｍｍ〜１．８ｍｍに設定されている。この係止リブ１２６の作用効果については後述される。
【００７８】
図２１は、ウキ本体１２０の平面図である。図２２は、図２１におけるXXII−XXII断面図、図２３は、図２１におけるXXII−XXIII  断面図である。
【００７９】
図２１ないし図２３が示すように、ウキ本体１２０は、略紡錘形に形成されている。ウキ本体１２０は、上部１３０及び下部１３１を備えており、両者が接合されている。下部１３１は、例えば接着剤により上部１３０と接合される。上部１３０を構成する材料は、木材のほか樹脂（典型的にはアクリロニトリルブタジエンスチレン共重合体（ＡＢＳ）、ポリプロピレン（ＰＰ）、ポリオキシメチレン（ＰＯＭ））が採用される。下部１３１は、鉛や真鍮等の金属から構成される。すなわち、下部１３１は、ウキ本体１２０が水中で安定した姿勢を保つための錘の役目を果たす。したがって、ウキ本体１２０の重心は、極端に下方に設定されている。
【００８０】
なお、下部１３１は、樹脂からなるケーシング及びこのケーシングに保持される錘から構成されていてもよい。この場合、当該ケーシングが上部１３０と嵌め合わされて互いに固着される。そして、上記錘がケーシングに内蔵される。下部１３１がかかる構造を備えることにより、下部１３１の重量設定が容易かつ正確に行われる。
【００８１】
このウキ本体１２０は、上記貫通孔１２２を備えている。この貫通孔１２２は、ウキ本体１２０の中心を貫いている。すなわち、貫通孔１２２は、ウキ本体１２０の上端１３８から下端面１３９に通ずるようにウキ本体１２０の軸方向に延びている。この貫通孔１２２の上部１２９（載置部）は拡径されている。すなわち、前述のように貫通孔１２２の内径寸法ｄ２は５ｍｍに設定されているが（図９参照）、特に上記上部１２９の内径寸法ｄ４は８ｍｍに設定されている。このため、上記貫通孔１２２の上部１２９にウキ本体１２０の径方向に延びる平面１３３（載置面）が形成されている。もっとも、上部１２９の内径寸法ｄ４は８ｍｍに限定されるものではなく、要するに上記寸法ｄ２よりも大きく設定され、上記貫通孔１２２内に平面１３３が形成されていればよい。
【００８２】
ウキ本体１２０は、スリット１３２を備えている（図２１及び図２２参照）。このスリット１３２は、ウキ本体１２０の軸方向（図２２において上下方向）に延び、ウキ本体１２０の上端１３８から下端面１３９に達している。また、このスリット１３２は、ウキ本体１２０の外周面１４７から径方向に切り込まれており、上記貫通孔１２２に連通している。このスリット１３２の幅寸法ｄ３は、１．２ｍｍ〜１．８ｍｍの範囲に設定される。すなわち、このスリット１３２の幅寸法ｄ３は、上記嵌合軸１２１に設けられた係止リブ１２６の肉厚寸法ｔ（図１７及び図２０参照）に対応されている。
【００８３】
嵌合軸１２１の主円筒部１２４が上記貫通孔１２２に嵌め込まれたときは、図１５が示すように、係止リブ１２６は、上記スリット１３２に嵌め込まれる。このスリット１３２は、係止リブ１２６が係合する被係合部を構成しており、上記係止リブ１２６及び上記スリット１３２はキー及びキー溝として機能する。すなわち、嵌合軸１２１がウキ本体１２０に嵌め込まれると、係止リブ１２６もスリット１３２と嵌合し、これにより、嵌合軸１２１が貫通孔１２２内で回転することが規制される。
【００８４】
図２４は、固定ナット１１９の正面図である。同図は、固定ナット１１９が嵌合軸１２１に螺合した状態を示している。図２５は、固定ナット１１９の拡大平面図である。
【００８５】
固定ナット１１９は、真鍮、ステンレス鋼その他耐腐食性に優れる金属から構成されている。固定ナット１１９の外形形状は六角形であり、環状に形成されている。固定ナット１１９は軸孔１３４を備えており（図２５参照）、この軸孔１３４は、固定ナット１１９の中心を貫くように軸方向（図２４において上下方向）に沿って形成されている。この軸孔１３４の内周面に雌ねじ１３５が形成されている。この雌ねじ１３５は、上記嵌合軸１２１の上端部１２７に形成された雄ねじ１２８と螺合することができる。
【００８６】
また、固定ナット１１９は、スリット１３６を備えている。このスリット１３６は、固定ナット１１９の軸方向（図２５において紙面に垂直な方向）に延びており、固定ナット１１９の上端面から下端面に至る。図２５が示すように、このスリット１３６は、固定ナット１１９の外側面１３７から径方向に沿って切り込まれており、上記軸孔１３４に連通している。このスリット１３６幅寸法ｄ５は、上記ウキ本体１２０に設けられたスリット１３２の幅寸法ｄ３と同様に（図２１参照）、１．２ｍｍ〜１．８ｍｍの範囲に設定される。特に本実施形態では、固定ナット１１９は、いわゆる六角ナットからなる。そして、上記スリット１３６は、この六角ナットが径方向に切り込まれることによって構成されている。
【００８７】
本実施形態に係る釣用ウキ１１４は、実釣において次のように使用され、釣人は、ウキ本体１２０を簡単に交換することができる。
【００８８】
釣用ウキ１１４は、次の要領でライン１１３に装着される。まず、釣人は、嵌合軸１２１を手に取り、ライン１１３を嵌合軸１２１の釣糸挿通孔１２３に挿通する（図１６参照）。これにより、嵌合軸１２１は、常時ライン１１３と係合し、当該ライン１１３に沿って自由にスライドすることができる。次に、釣人は、ライン１１３のうち嵌合軸１２１よりも上方に位置する部分１４１をウキ本体１２０に挿入する。具体的には、釣人は、当該ライン１１３を手に持ち、これをウキ本体１２０のスリット１３２（図２１及び図２２参照）を通じてウキ本体１２０の外周面１４７から貫通孔１２２まで挿入する。つまり、ライン１１３は、上記スリット１３２を通って貫通孔１２２内に配置される。
【００８９】
釣人は、上記嵌合軸１２１をウキ本体１２０の下方から貫通孔１２２に挿入する。つまり、嵌合軸１２１は、主円筒部１２４からウキ本体１２０に押し込まれる。このとき、主円筒部１２４に設けられた係止リブ１２６は、上記スリット１３２に嵌り込み、当該スリット１３２に沿ってスライドする。これにより、図１５が示すように、嵌合軸１２１の上端部１２７が貫通孔１２２の上部１２９に進入する。つまり、嵌合軸１２１が貫通孔１２２に嵌め合わせられ、その結果、ライン１１３は、嵌合軸１２１に囲繞された状態でウキ本体１２０の貫通孔１２２内に配置される。
【００９０】
そして、釣人は、固定ナット１１９を嵌合軸１２１に係合させる。具体的には、同図が示すように、釣人は、ライン１１３のうち嵌合軸１２１よりも上方の部分４１を固定ナット１１９の外側面１３７からスリット１３６（図２５参照）内に挿通させる。このスリット１３６は、固定ナット１１９の軸孔１３４まで達しているから、ライン１１３は、スリット１３６を通って軸孔１３４内に配置される。釣人は、図１５が示すように、固定ナット１１９を嵌合軸１２１の上端部１２７に係合させる。すなわち、固定ナット１１９が嵌合軸１２１の上端部１２７にねじ込まれる。
【００９１】
釣人が固定ナット１１９をねじ込むことにより、固定ナット１１９が上記貫通孔１２２の上部１２９内に進入し、平面１３３に押圧される。これにより、嵌合軸１２１は、ウキ本体１２０に挿入された状態で固定され、ウキ本体１２０から脱落することが防止される。すなわち、嵌合軸１２１は、貫通孔１２２内に位置決めされ、ウキ本体１２０から外れなくなる。このように位置決めされた嵌合軸１２１にライン１１３が挿通されているから、ウキ本体１２０は、嵌合軸１２１と共にライン１１３に装着され且つ当該ライン１１３に沿って自由にスライドすることができる。
【００９２】
また、釣人は、上記固定ナット１１９を嵌合軸１２１から取り外すこともできる。これにより、釣人は、嵌合軸１２１をウキ本体１２０から抜き取り、ウキ本体１２０をライン１１３から離脱させることができる。すなわち、ライン１１３が切断されることなくウキ本体１２０が当該ライン１１３から取り外される。
【００９３】
このように、本実施形態に係る釣用ウキ１１４によれば、嵌合軸１２１がウキ本体１２０に嵌め込まれることにより釣用ウキ１１４がライン１１３に装着され、また、この嵌合軸１２１がウキ本体１２０から引き抜かれることにより当該ウキ本体１２０がライン１１３から取り外され、他のウキ本体と交換され得る。つまり、ライン１１３が切断されることなく釣用ウキ１１４が交換され得る。しかも、嵌合軸１２１は、ウキ本体１２０に嵌め込まれた状態で当該ウキ本体１２０に確実に連結されるので、実釣においてウキ本体１２０がライン１１３から外れることはない。さらに、釣人は、固定ナット１１９を嵌合軸１２１から外すことにより、簡単に嵌合軸１２１とウキ本体１２０との連結を解除して、ウキ本体１２０をライン１１３から離脱させることができる。したがって、釣人は、実釣においてきわめて簡単且つ迅速に釣用ウキの交換作業を行うことができる。
【００９４】
本実施形態では、固定ナット１１９は、前述のように六角ナットから構成されている。したがって、固定ナット１１９がコスト安価に実現される。しかも、釣人は、固定ナット１１９を嵌合軸１２１の上端部１２７にきわめて簡単に係合させることができると共に、固定ナット１１９を簡単に係合軸２１から取り外すことができる。すなわち、釣人は、嵌合軸１２１をウキ本体１２０に対して一層簡単に着脱することができ、ひいては、実釣においてウキ本体１２０の取替作業を一層迅速に行うことができる。
【００９５】
また、本実施形態では、図１５が示すように、固定ナット１１９が上記平面１３３上に載置されるので、固定ナット１１９が嵌合軸１２１にねじ込まれる際に、あるいはねじ込まれた後に安定する。したがって、釣人は、固定ナット１１９を嵌合軸１２１に係合させる作業を一層簡単に行うことができる。
【００９６】
さらに、本実施形態では、固定ナット１１９が嵌合軸１２１にねじ込まれた際に、固定ナット１０が上記貫通孔１２２の上部１２９に収容される。すなわち、固定ナット１１９がウキ本体１２０の内部に配置されるので、実釣において、固定ナット１１９が風を受けることに起因して釣用ウキ１１４が不安定に揺動することが抑制される。もっとも、上記貫通孔１２２が途中で拡径されることなく、内径が一定の孔として構成されていてもよい。つまり、上記平面１３３がウキ本体１２０の上面によって構成されていてもよく、その場合、固定ナット１１９は、当該ウキ本体１２０の上面に載置される。
【００９７】
加えて、本実施形態では、嵌合軸１２１がウキ本体１２０に挿入されると、図１５が示すように、嵌合軸１２１の係止リブ１２６とウキ本体１２０のスリット１３２とが嵌合し、嵌合軸１２１がウキ本体１２０に対して回転することが規制される。つまり、係止リブ１２６及びスリット１３２は、ウキ本体１２０に対する嵌合軸１２１の回転規制手段を構成している。したがって、釣人は、嵌合軸１２１をウキ本体１２０に挿入した状態で固定ナット１１９を回転させるだけで、当該固定ナット１１９を嵌合軸１２１の上端部１２７に簡単にねじ込むことができる。
【００９８】
なお、上記係止リブ１２６が省略されていてもよい。その場合、上記貫通孔１２２の上部１２９の内周面形状は円形に代えて固定ナット１１９の外形形状に対応した六角形に形成されていてもよい。この構成では、固定ナット１１９が上記平面１３３上に載置された状態で当該固定ナット１１９の回転が規制されるから、釣人は、嵌合軸１２１を回転させるだけで簡単に固定ナット１１９と嵌合軸１２１とを係合させることができる。もっとも、上記貫通孔１２２の上部１２９の内壁面形状は、六角形に代えて、上記上部１２９内における固定ナット１１９の回転を規制することができる他の形状が採用され得る。
【００９９】
次に、本実施形態の変形例が説明される。
【０１００】
本実施形態に係る釣用ウキ１１４は、１つの固定ナット１１９を備えている。ただし、釣用ウキ１１４が複数の固定ナットを備えていてもよい。その場合、各固定ナットの重量は、相互に異なっているのが好ましい。具体的には、高さ寸法ｂ（図２４参照）が異なる複数の固定ナットが設けられているのが好ましい（第１の変形例）。
【０１０１】
前述のように、上記ウキ本体１２０の下部１３１はウキ本体１２０に設けられた錘の役目を果たすことから、釣用ウキ１１４の重心は極端に下部に設定されており、一般的には、実釣において釣用ウキ１１４は水中で安定した姿勢を維持する。しかし、上記下部１３１の重量が調整されることにより、釣用ウキ１１４の残存浮力がほとんどゼロになる場合があり、このとき、釣用ウキ１１４は、実釣において水面下に浮かぶ状態となる。かかる場合、釣用ウキ１１４は極端に低重心であるよりも、重心が中心に近い位置に設定されている方が水中で安定した姿勢を保つことがある。
【０１０２】
当該第１の変形例では、釣人は、一の固定ナットを他の固定ナットに簡単に交換することができる。これにより、釣人は、釣用ウキ１１４の残存浮力及び重心を意図的に調整することができる。具体的には、例えば、釣人が釣用ウキ１１４の残存浮力を意図的にゼロとしたい場合には、当該固定ナットを重量が重い他の固定ナットに交換する。これにより、釣用ウキ１１４の浮力が抑えられると共に当該釣用ウキ１１４の重心が中心側に移動するから、釣用ウキ１１４は水中で安定した姿勢を維持する。
【０１０３】
図２６は、本実施形態の第２の変形例に係る嵌合軸の正面図であり、図２７は、側面図である。
【０１０４】
上記実施形態では、嵌合軸１２１の下端にフランジ１２５が設けられているが、本変形例では、フランジ１２５に摘み部１４３が設けられている。この摘み部１４３は扁平されており、平面部１４４，１４５を備えている。上記釣糸挿通孔１２３は、この摘み部１４３をも貫通している。釣人は、摘み部１４３を指で容易に把持することができる。したがって、釣人は、嵌合軸１２１の挿脱作業をより簡単に行うことができる。
【０１０５】
＜第３の実施形態＞
【０１０６】
次に、本発明の第３の実施形態について説明される。
【０１０７】
上記第２の実施形態では、ウキ本体１２０が上部１３０と下部１３１とを有し（図１５参照）、両者が接合されることによりウキ本体１２０が組み立てられるようになっている。しかし、ウキ本体１２０が樹脂により形成される場合は、ウキ本体１２０は、図２８が示すような構造を備えていてもよい。
【０１０８】
図２８は、本発明の第３の実施形態に係るウキ本体１６０の平面図であり、図２９及び図３０は、それぞれ、図２８におけるXXIX−XXIX 断面図及びXXX−XXX断面図である。
【０１０９】
このウキ本体１６０は、上記第２の実施形態に係るウキ本体１２０と同様の外形形状を有し、貫通孔１２２及びスリット１３２を備えている。また、ウキ本体１６０は、上記ウキ本体１２０と同様に上部本体１６１及び下部本体１６２を備えており、これらが嵌め合わされることによってウキ本体１６０が組み立てられている。
【０１１０】
このウキ本体１６０が上記ウキ本体１２０と異なるところは、上記ウキ本体１２０では、上部１３０及び下部１３１が無垢材から構成されているのに対し（図１５参照）、本実施形態に係るウキ本体１６０を構成する上部本体１６１及び下部本体１６２は、中空の器状に形成されている点である。このように上部本体１６１及び下部本体１６２が中空構造を備えるので、これら上部本体１６１及び下部本体１６２は、樹脂による射出成形により簡単に構成され得る。その結果、ウキ本体１６０の大量生産が可能であり、釣用ウキ１１４が安価に提供されるという利点がある。
【０１１１】
具体的には、上部本体１６１は略半球殻状に形成された外殻部１６３と内軸部１６４とを備えている。これらは一体的に形成されている。上部本体１６１の肉厚寸法は、これを構成する樹脂の強度によって異なるが、１ｍｍ〜３ｍｍ程度に設定され得る。内軸部１６４は、円筒状に形成されており、図３０が示すように、外殻部１６３の内側の中心に設けられ、下方に（下部本体１６２側に）突出している。この内軸部１６４の内壁面によって上記貫通孔１２２の上側部分１７１が構成されている。この貫通孔１２２の上部１２９は、上記第２の実施形態と同様に拡径されており、平面１３３が形成されている。また、上部本体１６１は、外周面１４７から径方向に切り込まれた溝１６５を有し、この溝１６５が上記スリット１３２の一部を構成している。
【０１１２】
下部本体１６２は、略漏斗状に形成された外殻部１６６と内軸部１６７とを備えている。これらは、上部本体１６１と同様に一体的に形成されている。下部本体１６２の肉厚寸法は、上部本体１６１と同様に１ｍｍ〜３ｍｍ程度に設定され得る。内軸部１６７は、円筒状に形成されており、図３０が示すように、外殻部１６６の内側の中心に設けられ、上方に（上部本体１６１側に）突出している。この内軸部１６７の内壁面によって上記貫通孔１２２の下側部分１７２が構成されている。また、下部本体１６２は、外周面１４７から径方向に切り込まれた溝１６８を有し、この溝１６８が上記スリット１３２の一部を構成している。
【０１１３】
図２９及び図３０が示すように、上部本体１６１は、下部本体１６２と上下方向に（軸方向に）嵌め合わされる。これにより、上部本体１６１の外周面１４７と下部本体１６２の外周面１４７が滑らかに連続し、略紡錘形のウキ本体１６０が形成される。また、本実施形態では、外殻部１６３及び外殻部１６６の互いに対向する面にいわゆるあいじゃくり構造が形成されている。これにより、上部本体１６１と下部本体１６２とが嵌め合わされたときに両者は位置決めされる。さらに、外殻部１６３と外殻部１６６とが嵌合された状態で、内軸部１６４と内軸部１６７とが嵌め合わされるようになっている。内軸部１６４及び内軸部１６７の互いに対向する面にもあいじゃくり構造が形成されており、これにより、内軸部１６４と内軸部１６７とが位置決め状態で確実に接合される。
【０１１４】
このように、上部本体１６１と下部本体１６２とが嵌め合わされることにより、上記溝１６５及び溝１６８が軸方向に連続して上記スリット１３２が構成されると共に、内軸部１６４と内軸部１６７とが接合されることにより上記貫通孔３２が構成される。このウキ本体１６０に上記嵌合軸１２１が挿脱されることにより、釣人は、上記第２の実施形態に係る釣用ウキ１１４と同様にウキ本体１６０をライン１１３に容易に着脱することができる。なお、上記あいじゃくり構造は省略されていてもよい。
【０１１５】
次に、第３の実施形態の変形例が説明される。
【０１１６】
図３１は、本実施形態の変形例に係るウキ本体１８０の平面図であり、図３２及び図３３は、それぞれ、図３１におけるXXXII−XXXII  断面図及びXXXIII−XXXIII  断面図である。
【０１１７】
本変形例に係るウキ本体１８０が上記第３の実施形態に係るウキ本体１６０と異なるところは、上記ウキ本体１６０は、上部本体１６１と下部本体１６２とが直接嵌め合わされれていたのに対し（図２９及び図３０参照）、本変形例に係るウキ本体１８０は、上部本体１８１と下部本体１８２との間に接合板１８３が配設されており、両者はこの接合板１８３を介して確実に固定されている点、及び貫通孔１２２の上部１８９の深さ寸法ｃ２（図３２参照）が上記ウキ本体１６０の貫通孔１２２の上部１２９の深さ寸法ｃ１（図２９参照）よりも大きく設定されている点である。なお、その他の構成については上記ウキ本体１６０と同様である。
【０１１８】
上部本体１８１は、上記第３の実施形態と同様に略半球殻状の外殻部１６３及び円筒状の内軸部１６４とを備えている。これらは一体的に形成されている。外殻部１６３の下端面８４は、上下方向に凹凸する形状となっている。この凹凸形状は、後に詳述される接合板１８３の外周縁の凹凸形状と合致するようになっている。内軸部１６４は、図３３が示すように外殻部１６３の内側の中心に設けられ、下方に（下部本体１８２側に）突出している。この内軸部１６４の内壁面によって上記貫通孔１２２の上側部分１７１が構成されている。そして、この貫通孔１２２の上側部分１７１が拡径されており、当該上側部分１７１が上記貫通孔１２２の上部１８９を構成すると共に上記平面１３３が形成されている。また、上部本体１８１は、外周面１４７から径方向に切り込まれた溝１６５を有し、この溝１６５が上記スリット１３２の一部を構成している。
【０１１９】
下部本体１８２も上記第３の実施形態と同様に略漏斗状の外殻部１６６と円筒状の内軸部１６７とを備えており、これらは一体的に形成されている。外殻部１６６の上端面１８５は、上下方向に凹凸する形状となっている。この凹凸形状は、後に詳述される接合板１８３の外周縁の凹凸形状と合致するようになっている。内軸部１６７は、図３３が示すように外殻部１６６の内側の中心に設けられ、上方に（上部本体１８１側に）突出している。この内軸部１６７の内壁面によって上記貫通孔１２２の下側部分１７２が構成されている。また、下部本体１６２は、外周面１４７から径方向に切り込まれた溝１６８を有し、この溝１６８が上記スリット１３２の一部を構成している。
【０１２０】
図３４は、上記接合板１８３の平面図である。
【０１２１】
図３３及び図３４が示すように、接合板１８３は円盤状に形成されている。接合板１８３は、上記上部本体１８１及び下部本体１８２と同様に樹脂（典型的にはアクリロニトリルブタジエンスチレン共重合体（ＡＢＳ）、ポリプロピレン（ＰＰ）、ポリオキシメチレン（ＰＯＭ））から構成されている。接合板１８３の外径は、上部本体１８１の下端面１８４の外径及び下部本体１８２の上端面１８５の外径に一致している。接合板１８３は、リブ１９１，１９２を備えている。リブ１９１はリング状に形成され、接合板１８３の上面周縁部に立設されている。リブ１９２もリング状に形成され、接合板１８３の下面周縁部に立設されている。リブ１９１及びリブ１９２は、上下対称に配置されている。これにより、接合板１８３の外周縁が上下方向に凹凸する形状となっている。
【０１２２】
接合板１８３の中心にボス１９３が設けられている。ボス１９３の上面及び下面にそれぞれ座部１９４，１９５が形成されている。各座部１９４，１９５は円形の凹部からなり、座部１９４の内径寸法が上部本体１８１の内軸部１６４の外径寸法に対応し、座部１９５の内径寸法が下部本体１８２の内軸部１６７の外径寸法に対応している。このため、図３３が示すように、上記内軸部１６４及び内軸部１６７は、がたつきが生じることなくボス１９３と確実に嵌合するようになっている。また、このボス１９３の中心を貫通する孔１９６が設けられている。この孔１９６は、上記貫通孔１２２の一部を構成する。したがって、上記内軸部１６４及び内軸部１６７がボス１９３と嵌合した状態で、上記貫通孔１２２の上側部分１７１、下側部分１７２及び上記孔１９６が連通し、貫通孔１２２が構成されるようになっている。
【０１２３】
また、図３４が示すように、この接合板１８３に溝１９７が設けられている。この溝１９７は、接合板１８３の外周面１９８から径方向に切り込まれており、上記ボス１９３に設けられた孔１９６まで達している。この溝１９７の幅寸法ｄ６は、上記上部本体１８１に設けられた溝１６５の幅寸法及び上記下部本体１８２に設けられた溝１６８の幅寸法と一致している。したがって、接合板１８３に設けられた溝１９７は、上記スリット１３２の一部を構成するようになっている。
【０１２４】
図３２及び図３３が示すように、上部本体１８１は、接合板１８３を挟んで下部本体１８２と上下方向に（軸方向に）嵌め合わされる。これにより、上部本体１８１の外周面１４７と下部本体１８２の外周面１４７が滑らかに連続し、略紡錘形のウキ本体１８０が形成される。
【０１２５】
具体的には、下部本体１８２の上端面１８５の上に接合板１８３が載置される。このとき、下部本体１８２の溝１６８の位置と接合板１８３の溝１９７の位置とが一致するように、接合板１８３が配置される。前述のように、下部本体１８２の上端面８５に形成された凹凸形状と接合板１８３の下面の外周縁に形成された凹凸形状とが対応しているので、接合板１８３は、あいじゃくり構造を介して下部本体１８２に対して位置決め状態で接合される。
【０１２６】
さらに、この接合板１８３の上に上部本体１８１が載置される。このとき、上部本体１８１の溝１６５の位置と接合板１８３の溝１９７の位置とが一致するように、上部本体１８１が配置される。前述のように、上部本体１８１の下端面１８４に形成された凹凸形状と接合板１８３の上面の外周縁に形成された凹凸形状とが対応しているので、上部本体１８１は、あいじゃくり構造を介して接合板１８３に対して位置決め状態で接合される。
【０１２７】
接合板１８３に上部本体１８１及び下部本体１８２が接合されると、上部本体１８１の内軸部１６４が接合板１８３のボス１９３の座部１９４に嵌め込まれ、下部本体１８２の内軸部１６７がボス１９３の座部１９５に嵌め合わされる。すなわち、構造物としてのウキ本体１８０において、接合板１８３が梁として機能しており、したがって、ウキ本体１８０の剛性が飛躍的に向上する。
【０１２８】
なお、前述のように上部本体１８１、接合板１８３及び下部本体１８２が嵌め合わされることにより、上記溝１６５、溝１６８及び溝１９７が軸方向に連続して上記スリット１３２が構成されると共に内軸部１６４、ボス１９３及び内軸部１６７が軸方向に連続して上記貫通孔１２２が構成される。そして、上記嵌合軸１２１がウキ本体１８０に挿脱されることにより、釣人は、ウキ本体１８０をライン１１３に容易に着脱することができる。
【０１２９】
本変形例に係るウキ本体１８０は、上記接合板１８３が設けられているので剛性がきわめて高い。したがって、実釣において釣用ウキ１１４が磯などに衝突した場合であってもウキ本体１８０が容易に損傷を受けることがない。しかも、貫通孔１２２の上部１８９は、図３３が示すように非常に深く形成されているから、上記固定ナット１１９の高さ寸法ｂが大きくなっても当該固定ナット１１９は確実にウキ本体１８０内に収容される。また、さまざまな高さ寸法ｂに設定された固定ナット１１９がウキ本体１８０に装着され得るので、釣用ウキ１１４の残存浮力が幅広く調整され得るという利点もある。
【産業上の利用可能性】
【０１３０】
本発明は、ウキ釣りに使用されるウキに適用され得る。
【図面の簡単な説明】
【０１３１】
【図１】図１は、本発明の第１の実施形態に係る釣用ウキが用いられた釣用仕掛けの模式図である。
【図２】図２は、本発明の第１の実施形態に係る釣用ウキの断面図である。
【図３】図３は、本発明の第１の実施形態に係る釣用ウキに嵌め込まれる嵌合軸の正面図である。
【図４】図４は、嵌合軸の右側面図である。
【図５】図５は、嵌合軸の縦断面図である。
【図６】図６は、図３におけるVI−VI  断面図である。
【図７】図７は、図３におけるVII−VII 断面図である。
【図８】図８は、本発明の第１の実施形態に係るウキ本体の平面図である。
【図９】図９は、図８におけるIX−IX断面図である。
【図１０】図１０は、図８におけるX−X  断面図である。
【図１１】図１１は、本発明の第１の実施形態に係る固定ナットの正面図である。
【図１２】図１２は、固定ナットの拡大平面図である。
【図１３】図１３は、固定ナットの断面図である。
【図１４】図１４は、本発明の第２の実施形態に係る釣用ウキが用いられた釣用仕掛けの模式図である。
【図１５】図１５は、本発明の第２の実施形態に係る釣用ウキの断面図である。
【図１６】図１６は、本発明の第２の実施形態に係る釣用ウキの嵌合軸の正面図である。
【図１７】図１７は、本発明の第２の実施形態に係る嵌合軸の右側面図である。
【図１８】図１８は、本発明の第２の実施形態に係る嵌合軸の縦断面図である。
【図１９】図１９は、図１６におけるXIX−XIX  断面図である。
【図２０】図２０は、図１６におけるXX−XX 断面図である。
【図２１】図２１は、本発明の第２の実施形態に係るウキ本体の平面図である。
【図２２】図２２は、図２１におけるXXII−XXII断面図である。
【図２３】図２３は、図２１におけるXXII−XXIII断面図である。
【図２４】図２４は、本発明の第2の実施形態に係る固定ナットの正面図である。
【図２５】図２５は、本発明の第２の実施形態に係る固定ナットの拡大平面図である。
【図２６】図２６は、本発明の第２の実施形態の変形例に係る嵌合軸の正面図である。
【図２７】図２７は、本発明の第２の実施形態の変形例に係る嵌合軸の側面図である。
【図２８】図２８は、本発明の第３の実施形態に係るウキ本体の平面図である。
【図２９】図２９は、図２８におけるXXIX−XXIX断面図である。
【図３０】図３０は、図２８におけるXXX−XXX断面図である。
【図３１】図３１は、本発明の第３の実施形態の変形例に係るウキ本体の平面図である。
【図３２】図３２は、図３１におけるXXXII−XXXII断面図である。
【図３３】図３３は、図３１におけるXXXIII−XXXIII断面図である。
【図３４】図３４は、本発明の第３の実施形態の変形例に係る接合板の平面図である。
【図３５】図３５は、従来の一般的なウキ釣りの仕掛けを示す模式図である。
【符号の説明】
【０１３２】
１０・・・釣用仕掛け
１３・・・ライン
１４・・・釣用ウキ
１９・・・固定ナット
２０・・・ウキ本体
２１・・・嵌合軸
２２・・・貫通孔
２３・・・釣糸挿通孔
２４・・・主円筒部
２６・・・係止リブ
２７・・・上端部
２８・・・雄ねじ
２９・・・貫通孔の上部
３２・・・スリット
３３・・・平面
３４・・・軸孔
３５・・・雌ねじ
３６・・・スリット
３９・・・ウキ本体の下端
３７・・・外側面
３８・・・上端
３９・・・下端面
４７・・・外周面
６０・・・ウキ本体
６１・・・上部本体
６２・・・下部本体
８０・・・ウキ本体
８１・・・上部本体
８２・・・下部本体
【図１】
2008187925.tif 000003
【図２】
2008187925.tif 000004
【図３】
2008187925.tif 000005
【図４】
2008187925.tif 000006
【図５】
2008187925.tif 000007
【図６】
2008187925.tif 000008
【図７】
2008187925.tif 000009
【図８】
2008187925.tif 000010
【図９】
2008187925.tif 000011
【図１０】
2008187925.tif 000012
【図１１】
2008187925.tif 000013
【図１２】
2008187925.tif 000014
【図１３】
2008187925.tif 000015
【図１４】
2008187925.tif 000016
【図１５】
2008187925.tif 000017
【図１６】
2008187925.tif 000018
【図１７】
2008187925.tif 000019
【図１８】
2008187925.tif 000020
【図１９】
2008187925.tif 000021
【図２０】
2008187925.tif 000022
【図２１】
2008187925.tif 000023
【図２２】
2008187925.tif 000024
【図２３】
2008187925.tif 000025
【図２４】
2008187925.tif 000026
【図２５】
2008187925.tif 000027
【図２６】
2008187925.tif 000028
【図２７】
2008187925.tif 000029
【図２８】
2008187925.tif 000030
【図２９】
2008187925.tif 000031
【図３０】
2008187925.tif 000032
【図３１】
2008187925.tif 000033
【図３２】
2008187925.tif 000034
【図３３】
2008187925.tif 000035
【図３４】
2008187925.tif 000036
【図３５】
2008187925.tif 000037